(57)【要約】【課題】エンジントルクについての情報を得ない場合であっても、運転者の発進意思を高い信頼性をもって検出することが可能な検出方法及びその装置を提供すること。【解決手段】原動機付き二輪車の運転者による発進動作の検出方法において、原動機付き二輪車のスロットルバルブ開度及びエンジン回転数のうち少なくともいずれかを検出するとともに、これを評価する。また、この評価を行うために、前記スロットルバルブ開度及びエンジン回転数のうち少なくともいずれかを時間微分することにより発進動作を検出する。
2010529341.tif 000002
【特許請求の範囲】
【請求項１】
原動機付き二輪車の運転者による発進動作の検出方法において、
原動機付き二輪車のスロットルバルブ開度（α）及びエンジン回転数（ｎMotor）のうち少なくともいずれかを検出するとともに、これを評価することにより発進動作を検出することを特徴とする検出方法。
【請求項２】
前記評価を行うために、前記スロットルバルブ開度及びエンジン回転数のうち少なくともいずれかを時間微分することを特徴とする請求項１記載の検出方法。
【請求項３】
エンジン回転数（ｎMotor）及びその時間微分（ｎ’Motor）のみを評価することを特徴とする請求項２記載の検出方法。
【請求項４】
エンジン回転数（ｎMotor）がその所定の閾値（ｎs）を上回るとともに、エンジン回転数の時間微分（ｎ’Motor）がその所定の閾値（ｎ’s）を下回ったときに、発進動作を検出することを特徴とする請求項３記載の検出方法。
【請求項５】
原動機付き二輪車（３０）の発進が検出された際に、該原動機付き二輪車（３０）の停止を維持するために前輪又は後輪のブレーキ油圧回路内で保持されていたブレーキ圧を、特に所定の関数に従って減圧することを特徴とする請求項１〜４のいずれか１項に記載の検出方法。
【請求項６】
前記ブレーキ圧の減圧を、少なくとも１つの周囲状況パラメータ（３４）及び／又は原動機付き二輪車のスロットルバルブ開度（α）及びエンジン回転数（ｎMotor）のうちいずれか、特に路面（３４）の勾配及び／又はエンジン回転数変化率（ｎ’Motor）に応じて行うことを特徴とする請求項５記載の検出方法。
【請求項７】
原動機付き二輪車のエンジントルクを更に評価することを特徴とする請求項１〜６のいずれか１項に記載の検出方法。
【請求項８】
原動機付き二輪車の運転者による発進動作の検出装置であって、
スロットルバルブ開度（α）及びエンジン回転数（ｎMotor）のうち少なくともいずれかを検出する検出手段と、
該手段手段によって検出された値を評価する評価手段と
を備えて成る前記検出装置において、
請求項１〜７のいずれかに記載の方法を実施するよう構成したことを特徴とする検出装置。
【発明の詳細な説明】
【技術分野】
【０００１】
本発明は、請求項１の上位概念に基づく検出方法及び請求項８の上位概念に基づく検出装置に関するものである。
【背景技術】
【０００２】
原動機付き二輪車（以下単に「二輪車」という。）は、この数十年間、安価な移動手段からレジャー用の乗物へと発展してきた。また、この間、安全性及び快適性の向上が強調されてきた。
【０００３】
そして、自動車と同じように、ここ数年、二輪車についてもアンチロックブレーキシステム（ＡＢＳ）が装備されてきている。例えば、特許文献１には二輪車用のアンチロックブレーキシステムが開示されている。さらに、特許文献２には二輪車のアンチロックブレーキシステム制御方法及び接着因子の決定方法が開示されている。
【０００４】
従来、二輪車には前輪の液圧回路用及び後輪の液圧回路用にそれぞれ１つずつブレーキ操作手段が設けられており、通常、前輪の液圧回路用にはブレーキレバーが用いられ、後輪用の液圧回路にはブレーキペダルが用いられる。
【０００５】
ここで、二輪車に関連して、「インテグラルブレーキシステム」とは、ブレーキレバー又はブレーキペダルを操作すると、１つの液圧回路だけではなくもう一方の液圧回路にも積極的なブレーキ圧の増圧がなされるようなブレーキシステムをいう。すなわち、１つのブレーキ操作手段を操作することによって両ブレーキが動作することになる。
【０００６】
また、ブレーキレバー及びブレーキペダルの操作によってそれぞれ両ブレーキを動作させるものは、「フルインテグラルブレーキシステム」と呼ばれる。また、種々組み合わせることも可能で、１つのブレーキ操作手段によって１つの車輪を制動し、もう一方のブレーキ操作手段によって２つの車輪を制動するようにすることができる（パーシャリインテグラルブレーキシステム）。なお、このようなインテグラルブレーキシステムは、例えば特許文献３及び特許文献４に記載されている。
【０００７】
そして、向上した安全性及び／又は快適性によって、将来、前輪及び／又は後輪における積極的なブレーキ圧の増圧時に運転者をサポートし、ブレーキ動作を最適化するようなパーシャリインテグラルブレーキシステム及びフルインテグラルブレーキシステムの使用がますます見込まれている。
【０００８】
そのほか、二輪車の分野において運転者補助システムの重要性がますます高まっており、特に、更なる快適性を高める機能及び／又は安全性を高める機能を実行するために、ハードウェアを十分に利用するコストを抑えた運転者補助システムの需要が大きくなってきている。また、この二輪車用の運転者補助システムにはブレーキ圧保持機能及び／又はブレーキ圧解除機能を備えたシステムも含まれており、このブレーキ圧保持機能及びブレーキ圧解除機能は、それぞれ、例えば傾斜路上に停止している二輪車の停止を維持し、一方、運転者の発進意思に基づき二輪車の発進を可能にするものである。
【０００９】
また、四輪車（乗用車）の分野における発進検出方法が、例えば特許文献５に開示されている。この特許文献５においては特にエンジントルクが評価されており、発進意思が存在するか否かを判断するために、エンジンとパワートレインの間で動力伝達が行われているか否か、及びエンジントルクの上昇によって運転者が発進しようとしているかあるいは発進可能であるのか否かの情報が必要である。
【００１０】
これについて、例えばクラッチ及びギヤ段の信号並びにエンジントルクが考慮されるようになっているが、二輪車においては、各制御装置間のネットワークが小さいことから、通常、このような情報を利用することができない。
【先行技術文献】
【特許文献】
【００１１】
【特許文献１】欧州特許第０５４８９８５号明細書
【特許文献２】独国特許出願公開第４０００２１２号明細書
【特許文献３】独国特許出願公開第３８０３５６３号明細書
【特許文献４】独国特許出願公開第１０３１６３５１号明細書
【特許文献５】独国特許出願公開第１０３０６３６３号明細書
【発明の概要】
【発明が解決しようとする課題】
【００１２】
本発明は上記問題にかんがみてなされたもので、その目的とするところは、エンジントルクについての情報を得ない場合であっても、運転者の発進意思を高い信頼性をもって検出することが可能な検出方法及びその装置を提供することにある。
【課題を解決するための手段】
【００１３】
上記目的は、請求項１記載の方法及び請求項８記載の装置によって達成される。
すなわち、本発明は、状態量であるスロットルバルブ開度及びエンジン回転数のうち少なくともいずれかを検出するとともに、これらの情報に基づき発進を検出するために、このスロットルバルブ開度及びエンジン回転数のうち少なくともいずれかを評価することを特徴としている。
【００１４】
また、本発明は、特に前記評価を行うために、前記状態量のうち少なくともいずれかを時間微分することを特徴としている。この時間微分を利用することにより、状態量の変化が急激であるのか、偶然のものであるのか、運転者によって意図しない不意のものであるのか、又は運転者によって継続的になされているものであるのかをより良好に判断することができる。そして、これにより運転者による発進意思の検出をより高い信頼性をもって行うことが可能である。
【００１５】
また、本発明の一実施形態は、エンジン回転数及びその時間微分のみを評価することを特徴としている。これにより、エンジン回転数以外の状態量を検出する必要がなくなる。
【００１６】
また、本発明の一実施形態は、エンジン回転数がその所定の閾値を上回るとともに、エンジン回転数の時間微分がその所定の閾値を下回ったときに、発進動作を検出することを特徴としている。これにより、二輪車の加速状態及び運転者によって発進が中断されていないことを確実に把握することが可能である。
【００１７】
また、特に、発進検出を、運転者補助システムのブレーキ圧保持機能及び／又はブレーキ圧解除機能において行うのが好ましい。ブレーキ圧保持機能においては、二輪車の停止状態を維持するために、通常、少なくとも１つのブレーキ液圧回路内でブレーキ圧が保持される。そして、運転者の発進意思が検出されると、本発明の一実施形態によれば、二輪車の停止を維持するために少なくとも１つのブレーキ油圧回路内で保持されていたブレーキ圧を減圧して、発進を行えるようにしている。
【００１８】
なお、上記減圧を特に線形関数に従って行うのが望ましい。こうすることで、二輪車が後方へ転動することなく発進することが可能である。また、特に、線形関数を表す線の傾きをあらかじめ設定するのが好ましい。
【００１９】
また、本発明の一実施形態は、ブレーキ圧の減圧を、少なくとも１つの周囲状況パラメータ及び／又は上記状態量に応じて行うことを特徴としている。すなわち、仮にブレーキ圧が線形関数に従って減圧されるとすると、その減圧度合（線形関数を表す線の傾き）は、少なくとも１つの周囲状況パラメータ及び／又は上記状態量に応じて決定されることになる。ここで、周囲状況パラメータ及び／又は上記状態量を、それぞれ路面の勾配及び／又はエンジン回転数変化率とするのが好ましい。
【００２０】
また、エンジントルクを検出するのであれば、これを評価して発進検出に利用するのが好ましい。
【００２１】
さらに、本発明は、請求項１〜７のいずれかに記載の方法を実施するよう構成された検出装置にも関するものである。
【発明の効果】
【００２２】
本発明によれば、四輪車（乗用車）では行われるが二輪車では通常行われないエンジントルクの検出を行うことなく、確実に発進検出を行うことが可能である。また、これにより、発進時の安全性が向上し、運転者の負担が軽減されて、運転者が他の交通に集中することができる。
【００２３】
さらに、本発明によれば、追加的なセンサ及び／又は各制御装置間の追加的なネットワークも不要であり、コストを抑えることができるという利点も得られる。
【００２４】
なお、他の実施形態及び利点は、各従属請求項及び以下の説明に記載されている。
【図面の簡単な説明】
【００２５】
【図１】傾斜路上に位置する二輪車の概要を示す図である。
【図２】ブレーキ圧保持方法及び／又はブレーキ圧解除方法を示すフローチャートである。
【図３】本発明による方法の一実施形態を示すフローチャートである。
【発明を実施するための形態】
【００２６】
以下に本発明の実施の形態を添付図面に基づいて説明する。すなわち、本発明による発進検出方法を電子制御式の二輪車用ブレーキシステムのブレーキ圧保持機能及び／又はブレーキ圧解除機能（発進機能）との関係において説明する。
【００２７】
なお、この発進検出は、他の二輪車用補助システムにおいても実行することができるとともに、四輪車（乗用車）にも応用可能なものである。
【００２８】
図１には傾斜路３４における二輪車３０の概要が示されており、この二輪車３０は、制御装置３１、前輪ＶＲ及び後輪ＨＲにそれぞれ設けられた車輪回転数センサ３２並びに車両の長手方向の加速度を検出する加速度センサ３３を備えて傾斜路３４上に位置している。ここで、制御装置３１（例えばＥＣＵ（電子制御ユニット））は、電子制御式ブレーキ装置及びブレーキ圧保持機能及び／又は発進機能を制御するように設定されている。また、加速度センサ３３は、例えば二輪車の車体フレームに設けられている。
【００２９】
しかして、本発明の発進検出方法の実施形態を説明する前に、まず、ブレーキ圧保持機能及び発進機能について以下に説明する。
【００３０】
図２には、ブレーキ圧保持機能及び発進機能のフローチャートが示されている。ステップ４０において、二輪車３０が停止状態又はほぼ停止状態にあるか否かが判断される。ステップ４１においては、所定の作動条件が満足されているか否かが判断される。
【００３１】
そして、二輪車３０が停止状態又はほぼ停止状態にあるという条件と、所定の作動条件とが同時に又は所定時間内に満たされた場合には、ブレーキ液圧回路（例えば後輪のブレーキ液圧回路）においてブレーキ圧が増圧され（ステップ４２）、つづいてこの増圧されたブレーキ圧が保持される（ステップ４３）。次に、ステップ４４において運転者の発進意思が判断され（発進検出）、仮に運転者の発進意思が検出されると、ステップ４３で保持されていたブレーキ圧が減圧される（ステップ４５）。
【００３２】
上記例えば後輪におけるブレーキ圧の増圧（ステップ４２，４３）により、運転者がブレーキレバーを操作することなく、二輪車を傾斜路３４上で確実に停止させることが可能となっている。
【００３３】
また、二輪車３０の停止状態又はほぼ停止した状態の検出（ステップ４０）は例えば車輪回転数センサ３２からの信号に基づき行われ、例えば後輪の車輪回転数が所定の閾値より小さければ、二輪車３０が停止又はほぼ停止していると判断される。なお、車輪回転数に代えて、この車輪回転数に相当する車輪回転速度を用いてもよい。
【００３４】
また、上記作動条件（ステップ４１）とは、例えば二輪車３０が傾斜路３４上に位置していることである。ここで、二輪車３０が傾斜路３４上に位置していることの検出は、例えば加速度センサ３３によりなされ、この加速度センサ３３により勾配が検出され、かつ、測定される。そして、勾配が所定値（例えば５％）以上となると、システムはスタンバイ状態となる。
【００３５】
仮に、二輪車３０が例えば上記所定値を上回る勾配に停止していれば（ステップ４０）、ブレーキシステムによって、例えば後輪のブレーキ液圧回路におけるブレーキ圧が増圧される（ステップ４２）。そして、この増圧されたブレーキ圧は、切換弁を閉弁することによって保持される（ステップ４３）。このとき、二輪車３０の停止後において運転者がブレーキレバー及び／又はブレーキペダルを解除したとしても、このブレーキ圧はほぼ一定に保持される。
【００３６】
しかして、後輪のブレーキ液圧回路におけるブレーキ圧の増圧量は例えば二輪車３０のタイプ及び／又は傾斜路３４の勾配に応じて決定されるが、これに代えて、又はこれに加えて、増圧量を二輪車３０の積載量に応じて決定することも考えられる。すなわち、ブレーキ圧は、二輪車３０が最大積載量状態にあっても、該二輪車３０を確実に傾斜路３４上で停止させることができるものでなければならない。
【００３７】
ところで、上記作動条件（ステップ４１）を、例えばブレーキレバーなどのブレーキ操作要素の操作とすることもできる。この場合には、二輪車３０に加速度センサ３３を設ける必要がなくなる。すなわち、ブレーキ圧の増圧は、二輪車３０の停止状態又はほぼ停止状態の検出時（ステップ４０）又は検出後に運転者によりなされる。
【００３８】
この際、運転者が例えば右側のブレーキレバー（例えばインテグラルブレーキを含む。）を操作して前輪ブレーキに、二輪車３０を停止させるのに必要なブレーキ圧ｐHZよりも大きなブレーキ圧ｐ’HZを供給してブレーキ圧保持機能（ブレーキ圧の増圧及びその保持）が作動する。さらに、二輪車３０を傾斜路３４上に保持するに十分なブレーキ圧がシステムによって後輪へ供給され（ステップ４２）、このブレーキ圧が保持される（ステップ４３）。
【００３９】
このように、ブレーキ操作要素を操作することによりブレーキ圧保持機能を作動させる場合には、通常は勾配を検出するセンサが設けられていないため、後輪におけるブレーキ圧の増圧は傾斜路３４の勾配に応じたものとはならない。したがって、ブレーキ圧の増圧量（又はブレーキ圧の大きさ）は、二輪車の停止状態においていかなる場合でも一定（すなわち所定の一定値）であるか、又は例えば二輪車３０の積載状態及び／又はタイプのようなパラメータに応じたものとなる。なお、このブレーキ圧を、二輪車３０が最大積載量状態にあっても傾斜路３４上に確実に停止させることができる程度とするのが望ましい。そして、発進及びこれに伴うブレーキ圧保持機能の終了がシステムによって検出される。
【実施例１】
【００４０】
本実施例によれば、発進検出はスロットルバルブ開度α及び／又はエンジン回転数ｎMotorの検出に基づき行われる。このようにスロットルバルブ開度αを検出することで、アイドリング時のスロットルレバーの遊びと発進意思とを判別することが可能である。
【実施例２】
【００４１】
本実施例においては、発進検出はエンジン回転数ｎMotor及びその変化率（時間変化率）ｎ’Motorの評価のみに基づいて行われ、二輪車３０における他の状態パラメータは考慮されないようになっている。ここで、ブレーキ圧の減圧（ステップ４５）によって発進を制御する制御装置３１にはエンジン回転数ｎMotorが入力され、この制御装置３１内でエンジン回転数ｎMotorの変化率ｎ’Motorが評価される。そして、制御装置３１は、このような情報に基づいて二輪車が加速状態にあるか否かを判断する。
【実施例３】
【００４２】
図３には、エンジン回転数ｎMotor及びその変化率（時間変化率）ｎ’Motorの評価によって発進検出を行う本発明の他の実施例がフローチャートで示されている。
ステップ５０において、二輪車３０は、運転者補助システムのブレーキ圧保持機能によって停止状態にある（図２におけるステップ４３に相当）。そして、運転者によってエンジントルクが増大され（ステップ５１）、エンジン回転数ｎMotorが所定の閾値ｎsよりも大きくなる（ステップ５２、ｎMotor＞ｎs）。
【００４３】
ステップ５３では、二輪車３０が加速状態にあるか否かが判断される。例えば、エンジン回転数の変化率ｎ’Motorが所定の閾値ｎ’sよりも小さいか否かが判定される（ステップ５３、ｎ’Motor＜ｎ’s？）。ここで、エンジン回転数変化率ｎ’Motorが所定の閾値ｎ’sよりも大きければ（ステップ５３における「ＮＯ」）、二輪車３０の停止状態が運転者補助システムのブレーキ圧保持機能によって継続する。一方、エンジン回転数変化率ｎ’Motorが所定の閾値ｎ’sよりも小さければ（ステップ５３における「ＹＥＳ」）、二輪車３０が加速状態にあると判断され、運転者補助システムによってブレーキ圧が減圧されて発進可能となる（ステップ５４（図２におけるステップ４５に相当））。
【００４４】
そして、ステップ５５ではエンジン回転数ｎMotorが継続して所定の閾値ｎsよりも大きいか否かが判断される（ｎMotor＞ｎs？）。ここで、エンジン回転数ｎMotorが所定の閾値ｎsより小さくなっていれば（ステップ５５における「ＮＯ」）、ステップ５６においてブレーキ圧が再び増圧され、二輪車３０は運転者補助システムのブレーキ圧保持機能によって再び停止状態となる（ステップ５０）。一方、エンジン回転数ｎMotorが所定の閾値ｎsより継続して大きければ（ステップ５５における「ＹＥＳ」）、発進動作が終了し、二輪車３０が走行状態となるまで、発進動作が行われる。
【００４５】
しかして、二輪車３０が加速状態にあるか否かを判断するために、例えばエンジン回転数変化率ｎ’Motorが評価される。加速状態において、加速度は特定の範囲内に収まるため、運転者の発進意思を検出することが可能である。そして、エンジン回転数ｎMotorが所定の閾値ｎsを下回れば、運転者が発進動作を中断したと判断され、ブレーキ圧が保持されるか、又は再び増圧される。
【００４６】
また、運転者の意思によらないエンジン回転数ｎMotorの変動によって誤った発進検出がなされるのを防止するために、最低エンジン回転数を上回るように所定のエンジン回転数閾値ｎsを設定する必要がある。すなわち、最低エンジン回転数を超えないと、ブレーキ圧解除がなされないようになっている（ステップ５２、５５参照）。
【００４７】
そして、発進時には、例えば後輪ブレーキの液圧回路内でそれまで保持されていたブレーキ圧（保持ブレーキ圧）は、二輪車３０が後方へ転動するような問題が生じることなく発進できるよう例えば所定の関数に従って減圧される。この関数を所定のものに固定することも可能であるが、ブレーキ圧の減圧（又は関数を表すグラフの傾き）を傾斜路３４の勾配に応じて変えるようにしてもよい。
【００４８】
さらに、これに代えて、又はこれに加えて、ブレーキ圧の減圧（又は関数を表すグラフの傾き）を二輪車３０のパラメータに応じて変えるようにすることも考えられる。例えば、エンジン回転数変化率ｎ’Motor及び／又はエンジントルクを検出する場合には、これらに応じてブレーキ圧を減圧することが可能である。
【００４９】
また、発進時に、ブレーキ圧を一気に減圧したり、所定の圧まで一気に減圧し、その後は線形関数に従って減圧するようなことも考えられる。さらに、ブレーキ圧を所定の線形関数によって減圧し、その際、この線形関数を表すグラフの傾き（ブレーキ圧減圧量変化率）をスロットルバルブ開度及び保持ブレーキ圧に応じて変えるようにすることも考えられる。
【符号の説明】
【００５０】
３０            原動機付き二輪車
３１            制御装置
３２            車輪回転数センサ
３３            加速度センサ
３４            傾斜路
４０〜４５      ステップ
５０〜５６      ステップ
ＶＲ            前輪
ＨＲ            後輪
【図１】
2010529341.tif 000003
【図２】
2010529341.tif 000004
【図３】
2010529341.tif 000005
【手続補正書】
【提出日】平成22年4月9日(2010.4.9)
【手続補正１】
【補正対象書類名】特許請求の範囲
【補正対象項目名】全文
【補正方法】変更
【補正の内容】
【特許請求の範囲】
【請求項１】
原動機付き二輪車の運転者による発進動作の検出方法において、
原動機付き二輪車のスロットルバルブ開度（α）及びエンジン回転数（ｎMotor）のうち少なくともいずれかを検出するとともに、これを評価することにより発進動作を検出することを特徴とする検出方法。
【請求項２】
前記評価を行うために、前記スロットルバルブ開度及びエンジン回転数のうち少なくともいずれかを時間微分することを特徴とする請求項１記載の検出方法。
【請求項３】
エンジン回転数（ｎMotor）及びその時間微分（ｎ’Motor）のみを評価することを特徴とする請求項２記載の検出方法。
【請求項４】
エンジン回転数（ｎMotor）がその所定の閾値（ｎs）を上回るとともに、エンジン回転数の時間微分（ｎ’Motor）がその所定の閾値（ｎ’s）を下回ったときに、発進動作を検出することを特徴とする請求項３記載の検出方法。
【請求項５】
原動機付き二輪車（３０）の発進が検出された際に、該原動機付き二輪車（３０）の停止を維持するために前輪又は後輪のブレーキ油圧回路内で保持されていたブレーキ圧を、所定の関数に従って減圧することを特徴とする請求項１〜４のいずれか１項に記載の検出方法。
【請求項６】
前記ブレーキ圧の減圧を、少なくとも１つの周囲状況パラメータ（３４）及び／又は原動機付き二輪車のスロットルバルブ開度（α）及びエンジン回転数（ｎMotor）のうちいずれかに応じて行うことを特徴とする請求項５記載の検出方法。
【請求項７】
前記ブレーキ圧の減圧を、路面（３４）の勾配及び／又はエンジン回転数変化率（ｎ’Motor）に応じて行うことを特徴とする請求項６記載の検出方法。
【請求項８】
原動機付き二輪車のエンジントルクを更に評価することを特徴とする請求項１〜７のいずれか１項に記載の検出方法。
【請求項９】
原動機付き二輪車の運転者による発進動作の検出装置であって、
スロットルバルブ開度（α）及びエンジン回転数（ｎMotor）のうち少なくともいずれかを検出する検出手段と、
該手段手段によって検出された値を評価する評価手段と
を備えて成る前記検出装置において、
請求項１〜８のいずれかに記載の方法を実施するよう構成したことを特徴とする検出装置。
【国際調査報告】
2010529341.tif 000006
2010529341.tif 000007
2010529341.tif 000008
2010529341.tif 000009